(57)【要約】【課題】コストを抑え、且つ電話番号を容易に確認することができる通信装置及び緊急通報装置を提供する。【解決手段】電話回線に接続される室内親機３において、緊急時の連絡先である連絡先端末の電話番号を記憶する連絡先電話番号データファイル３６Ａと、電話番号を入力するための数字キー３３Ａを備える操作部３３と、数字キー３３Ａを点滅させる点滅部３３Ｄと、入力された電話番号を確認する確認指示を入力する操作部３３と、ＣＰＵ３４に、確認指示が入力された場合に、操作部３３により入力された電話番号に相当する数字キー３３Ａを順次点滅させるように点滅部３３Ｄを制御する確認プログラム３６Ｂと、を備えた。【選択図】図２
2008124854.tif 000002
【特許請求の範囲】
【請求項１】
緊急時の連絡先である連絡先端末と電話回線を介して接続され、前記連絡先端末に緊急通報を行う緊急通報装置において、
前記連絡先端末の電話番号を記憶する記憶手段と、
前記数字キーを点滅させる点滅手段と、
前記記憶手段により記憶されている前記電話番号を確認する確認指示を入力する確認指示手段と、
前記確認指示手段により前記確認指示が入力された場合に、前記記憶手段により記憶されている前記電話番号に相当する前記数字キーを順次点滅させるように前記点滅手段を制御する点滅制御手段と、
電話番号を入力するための数字キーを備える入力手段と、
前記入力手段により入力された前記電話番号に相当する前記連絡先端末に発信する際に、当該電話番号に相当する前記数字キーを順次点滅させるように前記点滅手段を制御する発信制御手段と、
着信時に、着信した電話番号に相当する前記数字キーを順次点滅させるように前記点滅手段を制御する着信制御手段と、
を備えることを特徴とする緊急通報装置。
【請求項２】
電話回線に接続される通信装置において、
所定の連絡先である連絡先端末の電話番号を記憶する記憶手段と、
前記数字キーを点滅させる点滅手段と、
前記記憶手段により記憶されている前記電話番号を確認する確認指示を入力する確認指示手段と、
前記確認指示手段により前記確認指示が入力された場合に、前記記憶手段により記憶されている前記電話番号に相当する前記数字キーを順次点滅させるように前記点滅手段を制御する点滅制御手段と、
を備えることを特徴とする通信装置。
【請求項３】
電話番号を入力するための数字キーを備える入力手段と、
前記入力手段により入力された前記電話番号に相当する前記連絡先端末に発信する際に、当該電話番号に相当する前記数字キーを順次点滅させるように前記点滅手段を制御する発信制御手段を備えることを特徴とする請求項２に記載の通信装置。
【請求項４】
着信時に、着信した電話番号に相当する前記数字キーを順次点滅させるように前記点滅手段を制御する着信制御手段を備えることを特徴とする請求項２又は３に記載の通信装置。
【発明の詳細な説明】
【技術分野】
【０００１】
本発明は、通信装置及び緊急通報装置に関する。
【背景技術】
【０００２】
従来、メール送信可能なファクシミリ装置において、登録されたメールアドレス，ＦＡＸ番号，電話番号のうち、選択された通信先の種類に応じて、Ｅメールキー，ＦＡＸキー，電話発信キーの何れかのキーを点灯させるものが知られている（例えば、特許文献１）。
また、予め登録されている電話番号に自動通報を行う自動通報装置も知られている（例えば、特許文献２）。
また、数字送りキーと動作モードを選択するための選択キーとを備えて、操作キーを少なくし、小型化を図った非常通報装置も知られている（例えば、特許文献３）。
【０００３】
ところで、プッシュボタン式電話機，ファクシミリ装置等の通信装置や、予め登録された電話番号に自動通報を行う緊急通報装置等では、通常、電話番号を入力するためのテンキーを備えるとともに、入力された電話番号を確認のために表示するＬＣＤ（Liquid  Crystal  Display）等の表示部を備える。
【特許文献１】特開２００１−２９２２４５号公報
【特許文献２】特開２００５−１７６０９２号公報
【特許文献３】実開平７−６８９２号公報
【発明の開示】
【発明が解決しようとする課題】
【０００４】
しかしながら、通信装置や緊急通報装置にＬＣＤ等の表示部を設けると、コスト高となる上に、ＬＣＤ等の表示部のために小型化を図ることが難しい。特許文献１〜３に記載の発明は、登録される電話番号や動作モード等を表示部に表示させるものであるため当該問題を解決することができない。
【０００５】
本発明の課題は、コストを抑え、且つ電話番号を容易に確認することができる通信装置及び緊急通報装置を提供することである。
【課題を解決するための手段】
【０００６】
請求項１に記載の発明は、緊急時の連絡先である連絡先端末と電話回線を介して接続され、前記連絡先端末に緊急通報を行う緊急通報装置において、
前記連絡先端末の電話番号を記憶する記憶手段と、
前記数字キーを点滅させる点滅手段と、
前記記憶手段により記憶されている前記電話番号を確認する確認指示を入力する確認指示手段と、
前記確認指示手段により前記確認指示が入力された場合に、前記記憶手段により記憶されている前記電話番号に相当する前記数字キーを順次点滅させるように前記点滅手段を制御する点滅制御手段と、
電話番号を入力するための数字キーを備える入力手段と、
前記入力手段により入力された前記電話番号に相当する前記連絡先端末に発信する際に、当該電話番号に相当する前記数字キーを順次点滅させるように前記点滅手段を制御する発信制御手段と、
着信時に、着信した電話番号に相当する前記数字キーを順次点滅させるように前記点滅手段を制御する着信制御手段と、
を備えることを特徴としている。
【０００７】
請求項２に記載の発明は、電話回線に接続される通信装置において、
所定の連絡先である連絡先端末の電話番号を記憶する記憶手段と、
前記数字キーを点滅させる点滅手段と、
前記記憶手段により記憶されている前記電話番号を確認する確認指示を入力する確認指示手段と、
前記確認指示手段により前記確認指示が入力された場合に、前記記憶手段により記憶されている前記電話番号に相当する前記数字キーを順次点滅させるように前記点滅手段を制御する点滅制御手段と、
を備えることを特徴としている。
【０００８】
請求項３に記載の発明は、請求項２に記載の通信装置において、
電話番号を入力するための数字キーを備える入力手段と、
前記入力手段により入力された前記電話番号に相当する前記連絡先端末に発信する際に、当該電話番号に相当する前記数字キーを順次点滅させるように前記点滅手段を制御する発信制御手段を備えることを特徴としている。
【０００９】
請求項４に記載の発明は、請求項２又は３に記載の通信装置において、
着信時に、着信した電話番号に相当する前記数字キーを順次点滅させるように前記点滅手段を制御する着信制御手段を備えることを特徴としている。
【発明の効果】
【００１０】
請求項１に記載の発明によれば、記憶手段により、緊急時の連絡先である連絡先端末の電話番号が記憶され、点滅手段により、数字キーが点滅され、確認指示手段により、記憶手段により記憶された電話番号を確認する確認指示が入力され、点滅制御手段により、確認指示手段によって確認指示が入力された場合に、記憶手段により記憶された電話番号に相当する数字キーを順次点滅させるように点滅手段が制御されるので、表示部がなくても数字キーの点滅を視認することにより電話番号を確認することができ、コストを抑え、且つ電話番号を容易に確認することができる。
また、表示部を備えずに済み、通信装置の小型化を図ることができる。
【００１１】
また、発信制御手段により、数字キーが備えられた入力手段により、電話番号が入力され、入力手段によって入力された電話番号に相当する連絡先端末に発信する際に、当該電話番号に相当する数字キーを順次点滅させるように点滅手段が制御されるので、表示部がなくても数字キーの点滅を視認することにより発信する電話番号を確認することができ、コストを抑えて、発信電話番号を容易に確認することができる。
【００１２】
また、着信制御手段により、着信時に、着信した電話番号に相当する数字キーを順次点滅させるように点滅手段が制御されるので、表示部がなくても数字キーの点滅を視認することにより着信した電話番号を確認することができ、コストを抑えて、着信電話番号を容易に確認することができる。
【００１３】
請求項２に記載の発明によれば、記憶手段により、所定の連絡先である連絡先端末の電話番号が記憶され、点滅手段により、数字キーが点滅され、確認指示手段により、記憶手段により記憶された電話番号を確認する確認指示が入力され、点滅制御手段により、確認指示手段によって確認指示が入力された場合に、記憶手段により記憶された電話番号に相当する数字キーを順次点滅させるように点滅手段が制御されるので、表示部がなくても数字キーの点滅を視認することにより電話番号を確認することができ、コストを抑え、且つ電話番号を容易に確認することができる。
また、表示部を備えずに済み、通信装置の小型化を図ることができる。
【００１４】
請求項３に記載の発明によれば、請求項２に記載の発明と同様の効果が得られるのは勿論のこと、特に、数字キーが備えられた入力手段により、電話番号が入力され、発信制御手段により、入力手段によって入力された電話番号に相当する連絡先端末に発信する際に、当該電話番号に相当する数字キーを順次点滅させるように点滅手段が制御されるので、表示部がなくても数字キーの点滅を視認することにより発信する電話番号を確認することができ、コストを抑えて、発信電話番号を容易に確認することができる。
【００１５】
請求項４に記載の発明によれば、請求項２又は３に記載の発明と同様の効果が得られるのは勿論のこと、特に、着信制御手段により、着信時に、着信した電話番号に相当する数字キーを順次点滅させるように点滅手段が制御されるので、表示部がなくても数字キーの点滅を視認することにより着信した電話番号を確認することができ、コストを抑えて、着信電話番号を容易に確認することができる。
【発明を実施するための最良の形態】
【００１６】
以下、図を参照して、本発明に係る通信装置及び緊急通報装置を実施するための最良の形態を詳細に説明する。本実施形態では、通信装置及び緊急通報装置としての室内親機３を備えるインターホン装置１を例示して説明する。
【００１７】
本発明に係るインターホン装置１は、例えば、図１に示すように、電話回線Ｔを介して緊急時の連絡先である連絡先端末２と接続されている。なお、図１においては、インターホン装置１と連絡先端末２とが１対１で接続される場合を示したが、これに限られるものではなく、例えば、複数台の連絡先端末２に１台のインターホン装置１が接続されてもよい。
【００１８】
インターホン装置１は、例えば、図１に示すように、電話回線Ｔに接続される室内親機３，当該室内親機３と無線通信回線（図示省略）を介して接続される室内子機４等を備えて構成されている。また、固定電話機５は、室内親機３を介して、電話回線Ｔに接続されている。
【００１９】
室内親機３は、例えば、図１，図２に示すように、接続部３１，無線通信部３２，操作部３３，ＣＰＵ（Central  Processing  Unit）３４，ＲＡＭ（Random  Access  Memory）３５，記憶部３６等を備えて構成される。
【００２０】
接続部３１は、例えば、着信検出部（図示省略），切替部（図示省略）等を備えて構成されている。着信検出部は、例えば、着信検出回路等を備えて構成され、回線電流の電圧を検出することにより着信を検出する。切替部は、ＣＰＵ３４が後述する緊急通報プログラム３６Ｄ又は発信プログラム３６Ｅを実行することにより制御されて、電話回線Ｔの接続を固定電話機５から室内親機３へと切り替える。なお、待受時には、固定電話機５が電話回線Ｔに接続されており、固定電話機５の受話器がオフフックされない限り、通話状態とはならないようになっている。
【００２１】
無線通信部３２は、例えば、ＲＦモジュール等を備えて構成され、室内子機４等と無線通信を行う。
【００２２】
操作部３３は、例えば、図１，図２に示すように数字キー３３Ａと、登録キー３３Ｂ（例えば、図１における＃キー），発信キー３３Ｃ（例えば、図１における＊キー）等を備えて構成されている。そして、操作部３３は、数字キー３３Ａがユーザにより押下されることにより、電話番号をＣＰＵ３４に出力する。これにより、操作部３３は、入力手段として機能する。
【００２３】
また、操作部３３の数字キー３３Ａは、例えば、透明な素材により形成されており、当該数字キー３３Ａの裏側に点滅部３３Ｄを備えている。
点滅部３３Ｄは、例えば、ＬＥＤランプ（図示省略）等を備えて構成され、ＣＰＵ３４が、後述する登録プログラム３６Ｃ，発信プログラム３６Ｅ，着信プログラム３６Ｆを実行することにより制御されて当該ＬＥＤランプを点滅させるようになっている。点滅部３３Ｅは、当該ＬＥＤランプを点滅させることにより、数字キー３３Ａを点滅させ、点滅手段として機能する。
【００２４】
また、操作部３３は、登録キー３３Ｂがユーザにより長押しされることにより、電話番号を後述する連絡先電話番号データファイル３６Ａに記憶させる登録指示をＣＰＵ３４に出力し、登録キー３３Ｂがユーザにより短押しされることにより、ＣＰＵ３４に出力した電話番号を確認する確認指示をＣＰＵ３４に出力し、確認指示手段として機能する。
また、操作部３３は、発信キー３３Ｃがユーザにより押下されることにより、数字キー３３Ａが押下されることにより出力した電話番号の連絡先に発信する発信指示をＣＰＵ３４に出力する。
【００２５】
また、例えば、操作部３３がユーザにより操作されることにより、インターホン装置１に留守番モードが設定される。当該留守番モードが設定されている場合には、室内親機３は、室内子機４から送信された緊急通報信号を受信すると、連絡先端末２に電話回線Ｔを介して所定の緊急通報を行うようになっている。
ここで、連絡先端末２としては、例えば、ユーザの携帯電話，勤務先，介護センター，掛かり付けの病院，警備会社等が挙げられる。また、所定の緊急通報は、例えば、予め設定された「緊急です」等の音声であってもよいし、アラーム音等であってもよい。
【００２６】
ＣＰＵ３４は、例えば、記憶部３６に格納された処理プログラム等を読み出して、ＲＡＭ３５に展開して実行することにより、室内親機３全体の制御を行う。
【００２７】
ＲＡＭ３５は、例えば、ＣＰＵ３４により実行された処理プログラム等を、ＲＡＭ３５内のプログラム格納領域に展開するとともに、入力データや上記処理プログラムが実行される際に生じる処理結果等をデータ格納領域に格納する。
【００２８】
記憶部３６は、例えば、プログラムやデータなどが予め記憶されている記録媒体（図示省略）を有しており、この記録媒体は、例えば、半導体メモリ等で構成されている。また、記憶部３６は、ＣＰＵ３４が室内親機３全体を制御する機能を実現させる各種データ，各種処理プログラム，これらプログラムの実行により処理されたデータ等を記憶する。より具体的には、記憶部３６は、例えば、図２に示すように、連絡先電話番号データファイル３６Ａ，確認プログラム３６Ｂ，登録プログラム３６Ｃ，緊急通報プログラム３６Ｄ，発信プログラム３６Ｅ，着信プログラム３６Ｆ等を格納している。
【００２９】
連絡先電話番号データファイル３６Ａは、例えば、連絡先端末２の電話番号を記憶している。記憶部３６は、かかる連絡先電話番号データファイル３６Ａを格納することにより、記憶手段として機能する。
【００３０】
確認プログラム３６Ｂは、例えば、ＣＰＵ３４に、操作部３３の登録キー３３Ｂがユーザにより短押しされることにより確認指示が入力された場合に、連絡先電話番号データファイル３６Ａに記憶されている電話番号に相当する数字キー３３Ａを順次点滅させるように点滅部３３Ｄを制御する機能を実現させるプログラムである。
より具体的には、確認プログラム３６Ｂは、ＣＰＵ３４に、例えば、当該電話番号である個々の数字に相当する個々の数字キー３３Ａを、当該電話番号の並びの順に、各数字キー３３Ａの点滅の間に所定間隔の消灯時間を設けて、点灯させるように点滅部３３Ｄを制御する機能を実現させるプログラムである。
ＣＰＵ３４は、確認プログラム３６Ｂを実行することにより、例えば、図３に示すように、当該電話番号が０６５９２７４４である場合に、０→６→５→９→２→７→４→４の順に数字キー３３Ａを点灯させるとともに、それぞれの数字キー３３Ａの点灯と点灯との間に所定間隔の消灯時間を設ける。
ＣＰＵ３４は、かかる確認プログラム３６Ｂを実行することにより、点滅制御手段として機能する。
【００３１】
登録プログラム３６Ｃは、例えば、ＣＰＵ３４に、操作部３３の登録キー３３Ｂがユーザにより長押しされることにより登録指示が入力された場合に、操作部３３の数字キー３３Ａがユーザにより押下されることにより入力された電話番号を連絡先電話番号データファイル３６Ａに記憶させることにより登録する機能を実現させるプログラムである。
【００３２】
緊急通報プログラム３６Ｄは、例えば、ＣＰＵ３４に、操作部３３がユーザにより操作されることにより、インターホン装置１に留守番モードが設定されている際に、室内子機４から送信された緊急通報信号を受信した場合に、連絡先端末２に電話回線Ｔを介して所定の緊急通報を行う機能を実現させるプログラムである。
より具体的には、緊急通報プログラム３６Ｄは、例えば、ＣＰＵ３４に、留守番モードが設定されている際に、室内子機４から緊急通報信号を受信した場合に、接続部３１を制御して、室内親機３を電話回線Ｔに接続させ、当該電話回線Ｔを介して連絡先端末２に所定の緊急通報を行う機能を実現させるプログラムである。
【００３３】
発信プログラム３６Ｅは、例えば、ＣＰＵ３４に、操作部３３の数字キー３３Ａが押下されることにより入力された電話番号に相当する連絡先端末２に発信する際に当該電話番号に相当する数字キー３３Ａを順次点滅させるように点滅部３３Ｄを制御する機能を実現させるプログラムである。
より具体的には、発信プログラム３６Ｅは、ＣＰＵ３４に、当該電話番号である個々の数字に相当する個々の数字キー３３Ａを、当該電話番号の並びの順に、各数字キー３３Ａの点滅の間に所定間隔の消灯時間を設けて、点灯させるように点滅部３３Ｄを制御するとともに、操作部３３の発信キー３３Ｃが押下されて発信指示が入力された場合に、接続部３１を制御して、室内親機３を電話回線Ｔに接続させ、当該電話回線Ｔを介して連絡先端末２に発信する機能を実現させるプログラムである。
ＣＰＵ３４は、かかる発信プログラム３６Ｅを実行することにより、発信制御手段として機能する。
【００３４】
着信プログラム３６Ｆは、例えば、ＣＰＵ３４に、着信した電話番号に相当する数字キー３３Ａを順次点滅させるように点滅部３３Ｄを制御する機能を実現させるプログラムである。
より具体的には、着信プログラム３６Ｆは、ＣＰＵ３４に、着信した電話番号である個々の数字に相当する個々の数字キー３３Ａを、当該電話番号の並びの順に、各数字キー３３Ａの点滅の間に所定間隔の消灯時間を設けて、点灯させるように点滅部３３Ｄを制御する機能を実現させるプログラムである。
ＣＰＵ３４は、かかる着信プログラム３６Ｆを実行することにより、着信手段として機能する。
【００３５】
室内子機４は、例えば、図１に示すように、緊急通報ボタン４１を備えて構成され、当該緊急通報ボタン４１がユーザにより押下されることに基づく緊急通報信号を室内親機３に無線通信回線を介して送信する。
【００３６】
次に、上述のような構成の室内親機３における連絡先端末２の電話番号の登録動作について、図４に示すフローチャートを参照しながら説明する。
まず、ＣＰＵ３４は、ユーザにより、操作部３３の登録キー３３Ｂが長押しされたか否かを判断する（ステップＳ１）。
【００３７】
ステップＳ１において、ＣＰＵ３４が、ユーザにより登録キー３３Ｂが長押しされず、登録指示が入力されなかったと判断した場合には（ステップＳ１；Ｎｏ）、本処理を終了する。
ステップＳ１において、ＣＰＵ３４が、ユーザにより登録キー３３Ｂが長押しされて、登録指示が入力されたと判断した場合には（ステップＳ１；Ｙｅｓ）、操作部３３の数字キー３３Ａが押下されて、登録する連絡先端末２の電話番号が入力されるのを待つ（ステップＳ２）。
【００３８】
ステップＳ２において、電話番号が入力されると、ＣＰＵ３４は、ユーザにより、操作部３３の登録キー３３Ｂが長押しされたか否かを判断する（ステップＳ３）。
【００３９】
ステップＳ３において、ＣＰＵ３４が、ユーザにより登録キー３３Ｂが長押しされず、登録指示が入力されなかったと判断した場合には（ステップＳ３；Ｎｏ）、ステップＳ２に戻る。
ステップＳ３において、ＣＰＵ３４が、ユーザにより登録キー３３Ｂが長押しされて、登録指示が入力されたと判断した場合には（ステップＳ３；Ｙｅｓ）、ＣＰＵ３４は、登録プログラム３６Ｃを実行することにより、当該電話番号を連絡先電話番号データファイル３６Ａに記憶させることにより登録する（ステップＳ４）。
【００４０】
次に、本実施形態に係る室内親機３における連絡先端末２の電話番号の確認動作について、図５に示すフローチャートを参照しながら説明する。
まず、ＣＰＵ３４は、ユーザにより、操作部３３の登録キー３３Ｂが短押しされたか否かを判断する（ステップＳ１０１）。
【００４１】
ステップＳ１０１において、ＣＰＵ３４が、ユーザにより登録キー３３Ｂが短押しされず、確認指示が入力されなかったと判断した場合には（ステップＳ１０１；Ｎｏ）、本処理を終了する。
ステップＳ１０１において、ＣＰＵ３４が、ユーザにより登録キー３３Ｂが短押されて確認指示が入力されたと判断した場合には（ステップＳ１０１；Ｙｅｓ）、ＣＰＵ３４は、確認プログラム３６Ｂを実行することにより、連絡先電話番号データファイル３６Ａに記憶されている電話番号に相当する数字キー３３Ａを順次点滅させるように点滅部３３Ｄを制御する（ステップＳ１０２）。
【００４２】
次に、本実施形態に係る室内親機３における発信動作について図６に示すフローチャートを参照しながら説明する。
まず、操作部３３の数字キー３３Ａが押下されて、発信する連絡先端末２の電話番号が入力されると（ステップＳ２０１）、ＣＰＵ３４は、操作部３３の発信キー３３Ｃが押下されて発信指示が入力されたか否かを判断する（ステップＳ２０２）。
【００４３】
ステップＳ２０２において、ＣＰＵ３４が、操作部３３の発信キー３３Ｃが押下されなかったと判断した場合には（ステップＳ２０２；Ｎｏ）、ＣＰＵ３４は、操作部３３の数字キー３３Ａが押下されて電話番号が再入力されたか否かを判断する（ステップＳ２０３）。
【００４４】
ステップＳ２０３において、ＣＰＵ３４が、電話番号が再入力されたと判断した場合には（ステップＳ２０３；Ｙｅｓ）、ステップＳ２０１に戻る。
ステップＳ２０３において、ＣＰＵ３４が、電話番号が再入力されていないと判断した場合には（ステップＳ２０３；Ｎｏ）、ステップＳ２０２に戻る。
【００４５】
ステップＳ２０２において、ＣＰＵ３４が、操作部３３の発信キー３３Ｃが押下されたと判断した場合には（ステップＳ２０２；Ｙｅｓ）、ＣＰＵ３４は、発信プログラム３６Ｅを実行することにより、当該電話番号に相当する数字キー３３Ａを順次点滅させるように点滅部３３Ｄを制御するとともに（ステップＳ２０４）、ステップＳ２０１で入力された電話番号に相当する連絡先端末２に発信する（ステップＳ２０５）。
【００４６】
次に、本実施形態に係る室内親機３における着信動作について図７に示すフローチャートを参照しながら説明する。
【００４７】
まず、接続部３１により着信が検出されると（ステップＳ３０１）、ＣＰＵ３４は、着信プログラム３６Ｆを実行することにより、着信した電話番号に相当する数字キー３３Ａを順次点滅させるように点滅部３３Ｄを制御する（ステップＳ３０２）。
【００４８】
以上に説明した本発明に係る室内親機３によれば、連絡先電話番号データファイル３６Ａにより、緊急時の連絡先である連絡先端末２の電話番号が記憶され、点滅部３３Ｄにより、数字キー３３Ａが点滅され、操作部３３により、連絡先電話番号データファイル３６Ａにより記憶された電話番号を確認する確認指示が入力され、ＣＰＵ３４が確認プログラム３６Ｂを実行することにより、操作部３３によって確認指示が入力された場合に、連絡先電話番号データファイル３６Ａにより記憶された電話番号に相当する数字キー３３Ａを順次点滅させるように点滅部３３Ｄが制御されるので、表示部がなくても数字キー３３Ａの点滅を視認することにより電話番号を確認することができ、コストを抑え、且つ電話番号を容易に確認することができる。
また、表示部を備えずに済み、室内親機３の小型化を図ることができる。
【００４９】
また、ＣＰＵ３４が発信プログラム３６Ｅを実行することにより、数字キー３３Ａが備えられた操作部３３により、電話番号が入力され、操作部３３によって入力された電話番号に相当する連絡先端末２に発信する際に、当該電話番号に相当する数字キー３３Ａを順次点滅させるように点滅部３３Ｄが制御されるので、表示部がなくても数字キー３３Ａの点滅を視認することにより発信する電話番号を確認することができ、コストを抑えて、発信電話番号を容易に確認することができる。
【００５０】
また、ＣＰＵ３４が着信プログラム３６Ｆを実行することにより、着信時に、着信した電話番号に相当する数字キー３３Ａを順次点滅させるように点滅部３３Ｄが制御されるので、表示部がなくても数字キー３３Ａの点滅を視認することにより着信した電話番号を確認することができ、コストを抑えて、着信電話番号を容易に確認することができる。
【００５１】
なお、通信装置として室内親機３を例示したが、これに限られるものではなく、携帯電話等であってもよい。
【図面の簡単な説明】
【００５２】
【図１】本発明に係るインターホン装置の概略構成の一例を示す図である。
【図２】本発明に係る室内親機の構成の一例を示すブロック図である。
【図３】本発明に係る室内親機の数字キーの点滅を説明する図である。
【図４】本発明に係る室内親機における登録動作を説明するフローチャートである。
【図５】本発明に係る室内親機における確認動作を説明するフローチャートである。
【図６】本発明に係る室内親機における発信動作を説明するフローチャートである。
【図７】本発明に係る室内親機における着信動作を説明するフローチャートである。
【符号の説明】
【００５３】
２  連絡先端末
３  室内親機（通信装置，緊急通報装置）
３３  操作部（入力手段，確認指示手段）
３３Ａ  数字キー
３３Ｄ  点滅部（点滅手段）
３４  ＣＰＵ（点滅制御手段，発信制御手段，着信制御手段）
３６  記憶部（記憶手段）
３６Ａ  連絡先電話番号データファイル（記憶手段）
３６Ｂ  確認プログラム（点滅制御手段）
３６Ｅ  発信プログラム（発信制御手段）
３６Ｆ  着信プログラム（着信制御手段）
Ｔ  電話回線
【図１】
2008124854.tif 000003
【図２】
2008124854.tif 000004
【図３】
2008124854.tif 000005
【図４】
2008124854.tif 000006
【図５】
2008124854.tif 000007
【図６】
2008124854.tif 000008
【図７】
2008124854.tif 000009